(57)【要約】      （修正有）【課題】ウォーキングなど単調な運動時に装着するだけで運動の痩身効果を高めることを目的とした骨盤周囲運動装具において、構造がシンプルで扱いやすく効果も高いウォーキングベルトを提供する。【解決手段】骨盤周囲に巻く上部帯１が骨盤の緩みや歪みを解消し、上部帯１に連結した下部帯２を大腿部に巻きつけ股関節を外旋かつ外転方向に引張る状態で装着することで、装着者は股関節の外旋外転方向の力に反して内旋内転方向の筋群を意識して動作することとなるために上部帯１の骨盤矯正効果が強化され、さらに体幹の強化、新陳代謝の向上につながる痩身用骨盤周囲運動装具。【選択図】図１
2016014208.tif 000002
【特許請求の範囲】
【請求項１】
腸骨周囲を巻回する伸縮性生地からなる上部帯（１）に、大腿部に巻きつけるための伸縮性生地からなる第一の下部帯（２）と第二の下部帯（３）が取り付けられてなる痩身用骨盤周囲運動装具であって、前記第一の下部帯（２）は前記上部帯（１）と傾斜するように取り付けられ、前記第二の下部帯（３）は前記上部帯（１）と前記第一の下部帯（２）と反対方向に傾斜するように取り付けられると共に、前記上部帯（１）の一方端には前記上部帯（１）の両端を結びつけるための連結手段を備えられ、前記第一の下部帯（２）におよび前記第二の下部帯（３）の自由端に前記自由端を環状に固定するための環状巻回固定部を備えられてなることを特徴とする痩身用骨盤周囲運動装具。
【請求項２】
腸骨周囲を巻回する伸縮性生地からなる腰帯（４）に、前記腰帯（４）と分離され、一方の大腿部を環状巻回固定する伸縮性生地からなる第一の大腿帯（５）に、前記腰帯（４）と分離され、前記第一の大腿帯（５）が巻回固定する他方側の大腿部を環状巻回固定する伸縮性生地からなる第二の大腿帯（６）に、これら前記腰帯（４）と前記第一の大腿帯（５）を脱着自在につなぐための伸縮性生地からなる帯状の第一の斜帯（７）に、前記腰帯（４）と前記第二の大腿帯（６）を脱着自在につなぐための伸縮性生地からなる帯状の第二の斜帯（８）からなる痩身用骨盤周囲運動装具であって、前記腰帯（４）および前記第一の大腿帯（５）および第二の大腿帯（６）のそれぞれ一方端にはそれぞれの帯の両端を結びつけるための連結手段を備えられ、前記第一の斜帯（７）の一方端は前記腰帯（４）と傾斜するように脱着自在の連結手段を備えられ、前記第一の斜帯（７）の他方端は前記第一の大腿帯（５）の任意の位置と脱着自在の連結手段を備えられ、前記第二の斜帯（８）の一方端は前記腰帯（４）と前記第一の斜帯（７）に反対方向に傾斜するように脱着自在の連結手段を備えられ、前記第二の斜帯（８）の他方端は前記第二の大腿帯（６）の任意の位置と脱着自在の連結手段を備えられることを特徴とする痩身用骨盤周囲運動装具。
【請求項３】
前記第一の斜帯（７）および／または第二の斜帯（８）は複数取り付けられていることを特徴とする請求項２に記載の痩身用骨盤周囲運動装具。
【請求項４】
請求項１に記載の発明に加えて請求項１に記載の発明を装着後、請求項２における前記第一の斜帯（７）が請求項１の前記上部帯（１）と前記第一の下部帯（２）の自由端である環状巻回固定部とをつなぎ、請求項２における前記第二の斜帯（８）が請求項１の前記上部帯（１）と前記第二の下部帯（３）の自由端である環状巻回固定部とをつなぐことを特徴とする痩身用骨盤周囲運動装具であって、前記第一の斜帯（７）の一方端は前記上部帯（１）と傾斜するように脱着自在の連結手段を備えられ、前記第一の斜帯（７）の他方端は前記第一の下部帯（２）の自由端である環状巻回固定部の任意の位置と脱着自在の連結手段を備えられ、前記第二の斜帯（８）の一方端は前記上部帯（１）と前記第一の斜帯（７）に反対方向に傾斜するように脱着自在の連結手段を備えられ、前記第二の斜帯（８）の他方端は前記第二の下部帯（３）の自由端である環状巻回固定部の任意の位置と脱着自在の連結手段を備えられることを特徴とする痩身用骨盤周囲運動装具である。
【発明の詳細な説明】
【技術分野】
【０００１】
ウォーキングやエクササイズ時に装着する痩身用骨盤周囲運動装具に関する。
【背景技術】
【０００２】
図１を参照して、人を横から見た際の重心線は足のくるぶし・股関節・耳の３点が垂直に一直線上に並ぶのが理想的である。しかし図１-ａのように一般に年齢を重ねていくうえで運動不足や筋力低下によってその重心線から股関節が前方に移動する姿勢が楽になる。
その傾向は骨盤形状が前傾しＸ脚傾向の場合（図１-ｂ）にも骨盤形状が後傾しＯ脚傾向の場合（図１-ｃ）でも見受けられ、内転筋群や下腹部・体幹の筋力低下が原因である。
本発明における従来の補正装具との大きな相違点は骨盤部の引き締め効果に加えて股関節に対してあえて外旋・外転力を加えている点である。この力は先程の重心線に対してさらに股関節が前方に押し出される力である。よって身体にとっては良くない力となる。しかし本発明を装着し股関節に外旋・外転力が加わった状態で膝が外方向に開かないよう意識して歩くことによって反射的に股関節の内旋・内転方向の筋力が持続的に刺激を受け活性化されることになり、同時に鼠径部の血流が改善されることから体幹が強化され新陳代謝が向上することを期待するものである。装着環境は毎日のウォーキングなどの単調な運動時に限り、装着していつもどおりのフォームで歩くだけでさらなる痩身効果を期待する。さらにウォーキングフォームに組込まれた股関節を内旋・内転させる筋群の刺激は当装具を外した後も継続するために痩身効果が持続するものである。
【０００３】
従来の骨盤周囲矯正装具は骨盤や股関節を正しい位置関係に矯正するべく締めつけていくというものであった。こういった装具類の効果は痛みや違和感を解消する目的としては効果的であるが締付けという装具の外的な力に頼ってしまい本来必要な装着者自身の筋力で問題を修正していく能力は養われない可能性がある。
また、股関節の内旋もしくは外旋の矯正、Ｏ脚やＸ脚の解消に用いられる装具類があるが、それらは装着者の骨盤と股関節の位置関係を正しく矯正しようとしているものであり矯正方向が装着者個々に対して異なるものでもある。
しかし本発明は痩身を目的とした運動用装着であり、股関節の外旋・外転方向への負荷（１１）（１２）を持続的に引き起こし、それに対して反射的に起こる筋群への刺激効果（１３）（１４）が痩身という効果につながることを求めたものであり骨盤と股関節の位置関係を矯正するものではないため装着形態は推奨する1形態で可能となる痩身用骨盤周囲運動装具である。
【先行技術文献】
【特許文献】
【０００４】
【特許文献１】特許第4582523号
【０００５】
【特許文献２】特許第4705980号
【発明の概要】
【発明が解決しようとする課題】
【０００６】
従来の骨盤周囲矯正装具は骨盤や股関節を正しい位置関係に矯正するべく締めつけていくというものであった。こういった装具類の効果は痛みや違和感を解消する目的としては効果的であるが、長期間の締付けという矯正装具の外的な力に頼ってしまい本来必要な装着者自身の筋力で骨盤周りに緩みや歪みを修正していく能力は養われない可能性がある。
本発明はウォーキングやエクササイズといった運動時に装着するだけで骨盤の歪みを矯正するだけでなく骨盤の引き締め力を高め、さらなる新陳代謝の向上と体幹の強化を促し痩身効果を期待した痩身用骨盤周囲運動装具であり、なおかつ扱いやすく装具をはずした後も痩身効果が持続するものであること。
【課題を解決するための手段】
【０００７】
本発明は上記課題を解決するために当装具を装着することで左右の股関節に対して外旋・外転力を引き起こし、装着者の股関節において外方向に開かれないように意識することから股関節の内旋・内転方向の筋群が反射的に刺激されることで起こる効果と鼠径部の血流が促進される効果によって痩身を促す目的をもった痩身用骨盤周囲運動装具を提供する。
【０００８】
上記課題を達成するため、請求項１の発明は腸骨周囲を巻回する伸縮性生地からなる上部帯（１）に、大腿部に巻きつけるための伸縮性生地からなる第一の下部帯（２）と第二の下部帯（３）が取り付けられてなる痩身用骨盤周囲運動装具であって、前記第一の下部帯（２）は前記上部帯（１）と傾斜するように取り付けられ、前記第二の下部帯（３）は前記上部帯（１）と前記第一の下部帯（２）と反対方向に傾斜するように取り付けられると共に、前記上部帯（１）の一方端には前記上部帯（１）の両端を結びつけるための連結手段を備えられ、前記第一の下部帯（２）におよび前記第二の下部帯（３）の自由端に前記自由端を環状に固定するための環状巻回固定部を備えられてなることを特徴とする痩身用骨盤周囲運動装具であり、前記上部帯（１）が骨盤周囲を引き締め、前記下部帯（２）・（３）がそれぞれの股関節に対して外旋・外転方向の張力を加えるものである。
（図１，２，６，７，８参照）
【０００９】
上記課題を達成するため、請求項２の発明は  腸骨周囲を巻回する伸縮性生地からなる腰帯（４）に、前記腰帯（４）と分離し、一方の大腿部を環状巻回固定する伸縮性生地からなる第一の大腿帯（５）に、前記腰帯（４）と分離し、前記第一の大腿帯（５）が巻回固定する他方側の大腿部を環状巻回固定する伸縮性生地からなる第二の大腿帯（６）に、これら前記腰帯（４）と前記第一の大腿帯（５）を脱着自在につなぐための伸縮性生地からなる帯状の第一の斜帯（７）に、前記腰帯（４）と前記第二の大腿帯（６）を脱着自在につなぐための伸縮性生地からなる帯状の第二の斜帯（８）からなる痩身用骨盤周囲運動装具であって、前記腰帯（４）および前記第一の大腿帯（５）および第二の大腿帯（６）のそれぞれ一方端にはそれぞれの帯の両端を結びつけるための連結手段を備えられ、前記第一の斜帯（７）の一方端は前記腰帯（４）と傾斜するように脱着自在の連結手段を備えられ、前記第一の斜帯（７）の他方端は前記第一の大腿帯（５）の任意の位置と脱着自在の連結手段を備えられ、前記第二の斜帯（８）の一方端は前記腰帯（４）と前記第一の斜帯（７）に反対方向に傾斜するように脱着自在の連結手段を備えられ、前記第二の斜帯（８）の他方端は前記第二の大腿帯（６）の任意の位置と脱着自在の連結手段を備えられることを特徴とする痩身用骨盤周囲運動装具であり、腰帯（４）が骨盤周囲を引き締め、斜帯（７）・（８）がそれぞれの股関節に対して外旋・外転方向の張力を加えるものである。（図２，３，１１，１２，１３，１４，１５参照）
【００１０】
請求項３の発明は、上記課題を達成するため、請求項２の発明は前記第一の斜帯（７）および／または第二の斜帯（８）は複数取り付けられていることを特徴とする痩身用骨盤周囲運動装具であり、それぞれの股関節に対しての外旋・外転方向の張力を自在に追加・調節できるものである。
【００１１】
請求項４の発明は、上記課題を達成するため、請求項１に記載の発明に加えて請求項１に記載の発明を装着後、請求項２における前記第一の斜帯（７）が請求項１の前記上部帯（１）と前記第一の下部帯（２）の自由端である環状巻回固定部とをつなぎ、請求項２における前記第二の斜帯（８）が請求項１の前記上部帯（１）と前記第二の下部帯（３）の自由端である環状巻回固定部とをつなぐことを特徴とする痩身用骨盤周囲運動装具であって、前記第一の斜帯（７）の一方端は前記上部帯（１）と傾斜するように脱着自在の連結手段を備えられ、前記第一の斜帯（７）の他方端は前記第一の下部帯（２）の自由端である環状巻回固定部の任意の位置と脱着自在の連結手段を備えられ、前記第二の斜帯（８）の一方端は前記上部帯（１）と前記第一の斜帯（７）に反対方向に傾斜するように脱着自在の連結手段を備えられ、前記第二の斜帯（８）の他方端は前記第二の下部帯（３）の自由端である環状巻回固定部の任意の位置と脱着自在の連結手段を備えられることを特徴とする痩身用骨盤周囲運動装具であり、それぞれの股関節に対しての外旋・外転方向の張力を自在に追加・調節できるものである。（図１０参照）
【発明の効果】
【００１２】
請求項１の発明を装着することにより上部帯（1）が骨盤を矯正しつつも下部帯（２）・（３）が引き起こす股関節の外旋・外転方向の張力に反して装着者は内旋・内転方向の筋群を意識して動作することとなり、その内旋・内転方向の筋群の刺激が体幹の強化、新陳代謝の向上につながり、痩身効果を期待するものである。
【００１３】
請求項２の発明を装着することにより腰帯（４）が骨盤を矯正しつつも斜帯（７）・（８）が引き起こす股関節の外旋・外転方向の張力に反して装着者は内旋・内転方向の筋群を意識して動作することとなり、その内旋・内転方向の筋群の刺激が体幹の強化、新陳代謝の向上につながり、痩身効果を期待するものである。
【００１４】
請求項３および請求項４の発明により、請求項１および請求項２の発明装着時における股関節の外旋・外転方向の張力強度を自在に追加・調節可能にするものである。
【発明を実施するための形態】
【００１５】
請求項１の発明に使用する生地は、幅広で全面が面ファスナーのループ面である無段階固定調整可能な伸縮性生地を推奨する。その理由は３点。１点目は装着者の体型によって細かなサイズ展開が必要とされないため、２点目は血管が圧迫されすぎないような大腿部や骨盤部の巻回固定強度を細かく調整しやすくするため、３点目は股関節の外転・外旋方向の張力を装着者自らが細かく調整しやすくするためであるが伸縮性の生地であれば十分な効果が期待されるためこの限りではない。
【００１６】
請求項１の発明の上部帯（1）には一方端の面ファスナーの全面ループ面と反対面に面ファスナーのフック面（９）を固定してあり、骨盤周囲に巻きつけて上部帯（1）の任意の他方端に環状巻回固定し、上部帯（1）に連結した下部帯（２）・（３）にも下部帯（２）・（３）のそれぞれ自由端の端部において面ファスナーの全面ループ面と反対面に面ファスナーのフック面（１０）（１１）を固定してあり、それぞれ左右の大腿周囲に巻きつけて任意の位置で環状巻回固定することを推奨するが、固定手段は釦などでも巻回固定可能でありこの限りではない。
【００１７】
請求項１の発明の上部帯（１）に連結した下部帯（２）・（３）は上部帯（１）を装着したときの背面もしくは側背面から左右にＸ状に交差、もしくはハの字状に外下方向に斜めに連結した２本の帯である。下部帯（２）・（３）はそれぞれ左右の臀部、大腿外側。大腿前面、大腿下部内面と腰部後面から外側を通過して大腿内側に至るまでらせん状に引張り、帯を引き伸ばした状態で下部帯（２）・（３）の自由端を大腿部に環状巻回固定することで股関節が外旋・外転方向に張力が加えられるものである。（図２、３、６，７参照）
【００１８】
請求項１の発明の下部帯（２）・（３）と上部帯（1）の連結部においては、右大腿に巻く下部帯（３）は左後背面に右臀部に向けて斜めに連結され右臀部を通過し右大腿へと、左大腿に巻く下部帯（２）は右後背面に左臀部に向けて斜めに連結され左臀部を通過し左大腿へと、両下部帯（２）・（３）が尾骨部で交差するように連結される構造が望ましい。その理由は尾骨部で交差するように左右両方向に引張られる力（２７）が骨盤部に巻かれた上部帯（1）に加わることで上部帯（1）の締付固定力が強化され（２８）、上部帯（1）が下方にずれ落ちにくくするためであるが（図１７参照）、この限りではなく、上部帯（１）に連結した下部帯（２）・（３）は上部帯（１）を装着したときの背面もしくは側背面から左右に「Ｘ状」に交差、もしくは「ハの字状」または「への字状」のいずれかにそれぞれの下部帯（２）・（３）が外下方向に斜めに連結したものとする。
【００１９】
請求項１の発明における下部帯（２）・（３）の自由端にて巻回固定する大腿巻回固定位置は膝に近い大腿下部であっても（図７，８参照）、腿の付け根に近い大腿上部であっても（図９参照）本発明の目的は達成可能である。
【００２０】
請求項２の発明の腰帯（４）および大腿帯（５）・（６）に使用する生地は幅広で全面が面ファスナーのループ面である無段階固定調整可能な伸縮性生地を推奨する。その理由は２点。１点目は装着者の体型によって細かなサイズ展開が必要とされないため、２点目は血管が圧迫されすぎないような大腿部や骨盤部の巻回固定強度を細かく調整しやすくするためであるが伸縮性の生地であれば十分な効果が期待されるためこの限りではない。
また股関節の外転・外旋方向の張力を与える斜帯（７）・（８）に使用する生地においても伸縮性生地であることとする。
【００２１】
請求項２の発明の腰帯（４）には一方端の面ファスナーの全面ループ面と反対面に面ファスナーのフック面（１２）を固定してあり、骨盤周囲に巻きつけて任意の腰帯（４）の他方端に環状巻回固定する。腰帯（４）と分離した大腿帯（５）・（６）にも一方端の面ファスナーの全面ループ面と反対面に面ファスナーのフック面（１３）（１４）を固定してあり、それぞれ左右の大腿周囲に巻きつけて任意の位置で環状巻回固定することを推奨するが、固定手段は釦などでも巻回固定可能でありこの限りではない。
【００２２】
請求項２の発明の帯状の斜帯（７）・（８）は両端に一方を腰帯（４）と、および他方を大腿帯（７）・（８）とにそれぞれ自在に脱着するための連結手段（１５，１６，１７，１８）を設けており、面ファスナーおよび釦などの固定手段にて任意に脱着可能であるものとする。斜帯（７）・（８）は腰帯（４）の後背面および側背面に脱着可能に連結し、それぞれ左右の臀部、大腿外側。大腿前面、大腿下部内面と腰部後面から外側を通過して大腿内側に至るまでらせん状に引張り、帯を引き伸ばした状態で大腿帯（５）・（６）の任意の位置に脱着可能に連結し、股関節が外旋・外転方向に張力が加えられるものである。（図４、５、１１、１２，１３，１４，１５参照）
【００２３】
請求項２の発明の斜帯（７）・（８）と腰帯（４）の連結部においては、右大腿に巻く下部帯（８）は左後背面に右臀部に向けて斜めに連結され右臀部を通過し右大腿へ、左大腿に巻く斜帯（７）は右後背面に左臀部に向けて斜めに連結され左臀部を通過し左大腿へ、両斜帯（７）・（８）が尾骨部で交差するように任意に脱着可能に連結される構造が望ましい。その理由は尾骨部で交差する左右両方向に引張られる力（２７）が骨盤部に巻かれた前記腰帯（４）に加わることで腰帯（４）の締付固定力が強化され（２８）、腰帯（４）が下方にずれ落ちにくくするためであるが、（図１７参照）この限りではなく腰帯（１）に連結した斜帯（７）・（８）は腰帯（４）を装着したときの背面もしくは側背面から左右に「Ｘ状」に交差、もしくは「ハの字状」または「への字状」のいずれかにそれぞれの斜帯（７）・（８）が外下方向に斜めに脱着可能に連結したものとする。
【００２４】
請求項２の発明における大腿帯（５）・（６）の大腿に環状巻回固定する大腿巻回固定位置は膝に近い大腿下部であっても（図１４，１５参照）、腿の付け根に近い大腿上部であっても（図１６参照）本発明の目的は達成可能である。
【００２５】
請求項３の発明において請求項２の斜帯（７）・（８）は、外旋・外転力を追加、安定させるために複数本を任意に追加・連結可能である。
【００２６】
請求項４の発明において請求項２の斜帯（７）・（８）は、外旋・外転力を追加、安定させるために請求項１の痩身用骨盤周囲運動装具に任意に追加・連結可能である。（図１０参照）
【図面の簡単な説明】
【００２７】
【図１】横方向から見た重心線における股関節の位置変化
【図２】請求項１における装具外観外面
【図３】請求項１における装具外観内面
【図４】請求項２における装具外観外面
【図５】請求項２における装具外観内面
【図６】請求項１における下部帯大腿部装着方法
【図７】請求項１における装具装着状態前面（大腿下部環状巻回装着時）
【図８】請求項１における装具装着状態後面（大腿下部環状巻回装着時）
【図９】請求項１における装具装着状態前面（大腿上部環状巻回装着時）
【図１０】請求項４における請求項１の装具装着後の斜帯取付例
【図１１】請求項２における腰帯および大腿帯装着状態
【図１２】請求項２における斜帯装着方法前面図
【図１３】請求項２における斜帯装着方法後面図
【図１４】請求項２における装具装着状態前面（大腿下部環状巻回装着時）
【図１５】請求項２における装具装着状態後面（大腿下部環状巻回装着時）
【図１６】請求項２における装具装着状態前面（大腿上部環状巻回装着時）
【図１７】装具背面の上部帯と下部帯（腰帯と斜帯）の連結部
【符号の説明】
【００２８】
１…上部帯、２、３…下部帯
４…腰帯、５，６…大腿帯、７，８…斜帯
９，１０，１１、１２、１３、１４…環状巻回部帯固定具
１５，１７…腰帯（上部帯）と斜帯の脱着自在連結固定具
１６，１８…大腿帯（下部帯）と斜帯の脱着自在連結固定具
１９…請求項１の下部帯装着時における外旋・外転力を調整する方法
２０…請求項1の下部帯装着時における大腿部巻きつけ方法
２１、２２…本装具装着後の外旋・外転力
２３，２４…本装具装着後の外旋・外転力に反する力
２５、２６…斜帯
２７、２８…上部帯と下部帯（腰帯と斜帯）の連結部における力のかかり方
【図１】
2016014208.tif 000003
【図２】
2016014208.tif 000004
【図３】
2016014208.tif 000005
【図４】
2016014208.tif 000006
【図５】
2016014208.tif 000007
【図６】
2016014208.tif 000008
【図７】
2016014208.tif 000009
【図８】
2016014208.tif 000010
【図９】
2016014208.tif 000011
【図１０】
2016014208.tif 000012
【図１１】
2016014208.tif 000013
【図１２】
2016014208.tif 000014
【図１３】
2016014208.tif 000015
【図１４】
2016014208.tif 000016
【図１５】
2016014208.tif 000017
【図１６】
2016014208.tif 000018
【図１７】
2016014208.tif 000019